(57)【要約】  実施形態は、例えば放送ネットワークを通じて受信可能なデータアイテムを含むデータアイテムにアクセスするシステム及び方法を含む。一実施形態は、モバイル装置による受信が可能な複数のデータアイテムを識別するデータを、放送無線ネットワークを通じてモバイル装置において受信することを含む放送データアイテムにアクセスする方法を含む。この方法は、コンテンツ配信サービスからレポジトリ装置への複数のデータアイテムのうちの少なくとも１つの伝達に関する要求を、無線ネットワークを通じてモバイル装置から送信することと、モバイル装置のレポジトリ装置との接続を検出することと、この検出に応じてこの接続を使用してレポジトリ装置から少なくとも１つのデータアイテムの少なくとも一部をモバイル装置が受信することとをさらに含む。他の実施形態は、モバイル装置、レポジトリ装置及びコンテンツ配信サービス、並びに関連する方法を含む。
2010530163.tif 000002
【特許請求の範囲】
【請求項１】
放送番組にアクセスする方法であって、
複数のデータアイテムを識別するデータを、第１の無線ネットワークを通じてモバイル装置において、受信することと、
コンテンツ配信サービスからレポジトリ装置への前記複数のデータアイテムのなかの少なくとも１つのデータアイテムの通信に関する要求を、第２の無線ネットワークを通じて前記モバイル装置から、伝達することと、
前記モバイル装置の前記レポジトリ装置との接続を検出することと、
前記検出に応じて、前記接続を使用して前記レポジトリ装置から、前記モバイル装置において前記少なくとも１つの要求されたデータアイテムの少なくとも一部を受信することと、
を具備する方法。
【請求項２】
前記レポジトリ装置から受け取った電力で前記モバイル装置を充電することをさらに具備する請求項１の方法。
【請求項３】
前記データアイテムは、放送ネットワークを通じて受信可能である請求項１の方法。
【請求項４】
前記第１の無線ネットワークは、前記放送ネットワークを備える請求項３の方法。
【請求項５】
前記要求は、前記データアイテムを選択するための少なくとも１つの基準を備える請求項１の方法。
【請求項６】
前記少なくとも１つの基準は、キーワード、チャネル、評価、又はランキングのうちの少なくとも１つを備える請求項５の方法。
【請求項７】
前記要求は、前記データアイテムの関連するもののシリーズを識別する情報を備える請求項１の方法。
【請求項８】
前記要求は、前記複数のデータアイテムのうちの少なくとも１つの少なくとも１つの中断された放送を識別する請求項１の方法。
【請求項９】
前記要求の送信は、前記少なくとも１つの中断された放送を識別することに応じて実行される請求項８の方法。
【請求項１０】
前記少なくとも１つの中断された放送を識別することは、音声電話の着信、ネットワーク接続性の喪失、閾値より低いデータ品質インジケータを有する前記放送の識別部分、及び指定された閾値より低くなるバッテリーレベルのうちの少なくとも１つによって中断された放送を識別することを備える請求項８の方法。
【請求項１１】
放送番組にアクセスする方法であって、
識別子が放送ネットワークを通じてモバイル装置に送信される、複数のデータアイテムのうちの少なくとも１つに関する要求を、モバイル装置から無線ネットワークを通じて受信することと、当該データアイテムの識別子が放送ネットワークを通じてモバイル装置に送信され、
前記モバイル装置と関連づけられるレポジトリ装置を識別することと、
前記モバイル装置への送信のために、前記レポジトリ装置に前記複数のデータアイテムのうちの前記少なくとも１つの少なくとも一部を伝達することと、
を具備する方法。
【請求項１２】
前記レポジトリ装置に前記複数のデータアイテムのうちの前記少なくとも１つの前記少なくとも一部を伝達することは、ブロードバンドネットワークを通じて前記少なくとも一部を送信することを備える請求項１１の方法。
【請求項１３】
前記ブロードバンドネットワークを通じて前記レポジトリ装置と通信するための通信リンクは、前記放送ネットワークを通じて前記モバイル装置と通信するための通信リンクよりも高い信頼性を有する請求項１２の方法。
【請求項１４】
前記複数のデータアイテムのうちの少なくとも１つに関する前記要求は、前記複数のデータアイテムのうちの前記少なくとも１つを識別するための少なくとも１つの基準を備える請求項１１の方法。
【請求項１５】
前記少なくとも１つの基準に基づいて前記データアイテムのうちの前記少なくとも１つを選択することと、前記選択に応じて前記データアイテムの前記少なくとも１つの少なくとも一部を伝達することと、をさらに具備する請求項１４の方法。
【請求項１６】
前記少なくとも１つの基準は、キーワード、チャネル、評価、又はランキングのうちの少なくとも１つを備える請求項１４の方法。
【請求項１７】
持続性装置に前記少なくとも１つの基準を伝達することをさらに具備する請求項１４の方法。
【請求項１８】
前記データアイテムのうちの少なくとも１つに関する前記要求は、番組の複数の放送のうちの前記少なくとも１つのシリーズを識別する要求を備える請求項１１の方法。
【請求項１９】
データアイテムにアクセスする方法であって、
少なくとも１つのデータアイテムを、コンテンツ配信サービスからレポジトリ装置において、モバイル装置が前記データアイテムを識別することに応じて受信することと、
前記少なくとも１つのデータアイテムを格納することと、
前記レポジトリ装置と前記モバイル装置との接続性を検出することと、
前記検出に応じて、前記レポジトリ装置から前記モバイル装置に前記少なくとも１つのデータアイテムを送信することと、
を具備する方法。
【請求項２０】
前記レポジトリ装置から前記モバイル装置を充電することをさらに具備する請求項１９の方法。
【請求項２１】
前記少なくとも１つのデータアイテムを受信することは、放送ネットワークを通じて前記少なくとも１つのデータアイテムの放送を受信することを備える請求項１９の方法。
【請求項２２】
前記少なくとも１つのデータアイテムを示す要求を受信することと、
前記少なくとも１つのデータアイテムを識別する前記要求に基づいて、前記少なくとも１つのデータアイテムのうちの少なくとも１つの放送を選択することと、
をさらに具備する請求項１９の方法。
【請求項２３】
前記少なくとも１つのデータアイテムを識別する前記要求は、前記少なくとも１つのデータアイテムを識別するための少なくとも１つの基準、及び当該基準に基づく選択の前記動作を備える請求項２２の方法。
【請求項２４】
前記少なくとも１つの基準は、キーワード、チャネル、評価、又はランキングのうちの少なくとも１つを備える請求項２３の方法。
【請求項２５】
前記少なくとも１つのデータアイテムを識別する前記要求は、複数のデータアイテムのうちの複数の放送のシリーズを識別する複数の情報を備える請求項１９の方法。
【請求項２６】
前記レポジトリ装置が前記少なくとも１つのデータアイテムを受信することは、前記モバイル装置が前記少なくとも１つのデータアイテムを受信することと同時に実行される請求項１９の方法。
【請求項２７】
放送データアイテムにアクセスする装置であって、
モバイル装置は少なくとも１つのデータアイテムを識別することに応じて、コンテンツ配信サービスから前記少なくとも１つのデータアイテムを受信するように構成される第１のネットワークインタフェースと、
前記少なくとも１つのデータアイテムを格納するように構成されるストレージと、
前記モバイル装置への接続を検出し、当該検出に応じて前記ストレージから前記モバイル装置に前記少なくとも１つのデータアイテムを送信するように構成される第２のネットワークインタフェースと、
前記検出に応じて前記モバイル装置に充電電流を供給するように構成される電源と、
を具備する装置。
【請求項２８】
前記装置は、前記少なくとも１つのデータアイテムをデコードすることができない請求項２７の装置。
【請求項２９】
前記少なくとも１つのデータアイテムを選択するための少なくとも１つの基準を受信し、前記要求を満たすデータアイテムを要求するように構成されるプロセッサをさらに具備することを特徴とする請求項２７の装置。
【請求項３０】
前記少なくとも１つの基準は、キーワード、チャネル、評価、又はランキングのうちの少なくとも１つを備える請求項２９の装置。
【請求項３１】
前記コンテンツ配信サービスから前記少なくとも１つのデータアイテムを受信するように構成される前記第１のネットワークインタフェースは、前記少なくとも１つのデータアイテムのシリーズを識別する複数の情報を備える請求項２７の装置。
【請求項３２】
前記少なくとも１つのデータアイテムを識別する前記複数の情報は、前記少なくとも１つのデータアイテムのうちの少なくとも１つの中断された放送を備える請求項３１の装置。
【請求項３３】
前記少なくとも１つのデータアイテムを格納するように構成されるストレージは、前記少なくとも１つの中断された放送の識別に応じて実行される請求項３２の装置。
【請求項３４】
前記少なくとも１つの中断された放送を識別することは、音声電話の着信、ネットワーク接続性の喪失、閾値より低いデータ品質インジケータを有する前記放送の識別部分、及び指定された閾値より低くなるバッテリーレベルのうちの少なくとも１つによって中断された放送を識別することを備える請求項８の方法。
【請求項３５】
放送データアイテムにアクセスする装置であって、
放送ネットワークを通じてモバイル装置によって受信可能な複数のデータアイテムのうちの少なくとも１つを識別する要求を、前記モバイル装置から無線ネットワークを通じて受信するように構成された第１のネットワークインタフェースと、
前記モバイル装置に関連づけられたレポジトリ装置を識別し、前記モバイル装置への送信のために前記レポジトリ装置に前記データアイテムの少なくとも一部を伝達するように構成された第２のネットワークインタフェースと、
を具備する装置。
【請求項３６】
前記レポジトリ装置に前記データアイテムの少なくとも一部を伝達するように構成された前記第２のネットワークインタフェースは、ブロードバンドネットワークを通じた前記少なくとも一部の送信を備える請求項３５の装置。
【請求項３７】
前記ブロードバンドネットワークを通じて前記レポジトリ装置と通信するように構成された第２のネットワークインタフェースは、前記放送ネットワークを通じて前記モバイル装置と通信するより高い信頼性を有する請求項３５の装置。
【請求項３８】
前記データアイテムのうちの前記少なくとも１つを識別する前記要求は、前記データアイテムのうちの前記少なくとも１つを識別するための少なくとも１つの基準を備える請求項３５の装置。
【請求項３９】
前記データアイテムの前記少なくとも１つを選択することと、前記選択に応じて前記データアイテムのうちの前記少なくとも１つの前記少なくとも一部を伝達することと、をさらに具備する請求項３８の装置。
【請求項４０】
前記少なくとも１つの基準は、キーワード、チャネル、評価、又はランキングのうちの少なくとも１つを備える請求項３８の装置。
【請求項４１】
前記少なくとも１つの基準を持続性装置に伝達することをさらに具備する請求項３８の装置。
【請求項４２】
前記要求は、前記データアイテムの関連シリーズを識別する情報を備える請求項３５の装置。
【請求項４３】
ブロードキャスト番組にアクセスする装置であって、
レポジトリ装置において、コンテンツ配信サービスから少なくとも１つのデータアイテムを、モバイル装置が当該データアイテムを識別すること応じて受信するように構成された第１のネットワークインタフェースと、
前記少なくとも１つのデータアイテムを格納するように構成されたストレージと、
前記レポジトリ装置と前記モバイル装置との接続性を検出するように構成された第２のインタフェースと、
前記検出に応じて、前記レポジトリ装置から前記モバイル装置へ前記少なくとも１つのデータアイテムを送信し、
前記レポジトリ装置から前記モバイル装置に充電電流を供給するように構成された電源と、
を具備する装置。
【請求項４４】
前記少なくとも１つのデータアイテムを受信するように構成された前記第１のネットワークインタフェースは、放送ネットワークを通じて前記少なくとも１つの放送を受信することを備える請求項４３の装置。
【請求項４５】
前記少なくとも１つのデータアイテムを識別し、複数のデータアイテムの複数の放送を識別し、前記少なくとも１つのデータアイテムの少なくとも１つの放送を識別するように構成されたプロセッサをさらに具備する請求項４３の装置。
【請求項４６】
前記要求は、前記データアイテムのうちの前記少なくとも１つを選択するための少なくとも１つの基準を備える請求項４５の装置。
【請求項４７】
前記少なくとも１つの基準は、キーワード、チャネル、評価、又はランキングのうちの少なくとも１つを備える請求項４６の装置。
【請求項４８】
前記少なくとも１つの番組を受信する前記レポジトリ装置は、前記少なくとも１つの番組を受信する前記モバイル装置と同時に実行される請求項４３の装置。
【発明の詳細な説明】
【技術分野】
【０００１】
本出願は、２００７年６月７日に出願された米国仮出願第６０／９４２，６０５号に対する優先権を主張する。  
本発明は、一般に通信に係り、特に、ストリームされた（streamed）マルチメディアデータの通信に関する。
【背景技術】
【０００２】
携帯電話機及び他のモバイル装置等の電子装置は、スポーツ、エンターテインメント、又は情報マルチメディア番組（program）の放送（broadcast）を受信するように構成されることができる。例えば、オーディオ、又はビデオデータは、電子装置へブロードバンド放送通信リンクを使用して伝達されることができる。従って、そのような電子装置に放送媒体を提供して、これを電子装置に表示するための方法及び装置が必要とされる。
【発明の概要】
【０００３】
本開示の方法及び装置は、各々いくつかの実施形態を有し、そのうちの１つのみが望ましい属性に単独で関与するというわけではない。例えば後の特許請求の範囲によって示されるような本発明の範囲を制限することなく、そのより顕著な特徴がここから簡潔に議論される。この議論を考慮した後に、特に詳細な説明と題された部分を読んだ後に、本発明の特徴が、電子装置が装置同期の使用によって要求された番組の確実な取り出しのために使用されるプロキシ装置に格納されることになる番組を要求することを可能にする利点を提供する方法を理解するだろう。
【０００４】
一実施形態は、放送番組にアクセスする方法を含む。この方法は、複数のデータアイテムを識別するデータを、第１の無線ネットワークを通じてモバイル装置において、受信することを含む。方法は、コンテンツ配信サービスからレポジトリ装置への複数のデータアイテムのうちの少なくとも１つの通信に関する要求を、第２の無線ネットワークを通じてモバイル装置から、送信することをさらに含む。方法は、レポジトリ装置とのモバイル装置の接続を検出することをさらに含む。この検出に応じて、モバイル装置は、その接続を使用して、レポジトリ装置から少なくとも１つのデータアイテムの少なくとも一部を受信する。
【０００５】
一実施形態は、放送番組にアクセスする方法を含む。この方法は、識別子が放送ネットワークを通じてモバイル装置に送信される、データアイテムの複数の放送のうちの少なくとも１つに関する要求を、モバイル装置から無線ネットワーク通じて、受信することと、モバイル装置に関連づけられたレポジトリ装置を識別することと、モバイル装置への送信のために、レポジトリ装置に複数のデータアイテムのうちの少なくとも１つの少なくとも一部を伝達することと、を含む。 
一実施形態は、放送番組にアクセスする方法を含む。この方法は、少なくとも１つのデータアイテムを、レポジトリ装置において内容配信サービスから、受信することと、モバイル装置がデータアイテムを識別することに応じて、受信することと、を含む。方法は、少なくとも１つのデータアイテムを格納することと、モバイル装置とレポジトリ装置との接続性を検出することと、この検出に応じて、レポジトリ装置からモバイル装置に前記少なくとも１つのデータアイテムを送信することと、をさらに含む。
【０００６】
一実施形態は、放送番組にアクセスするための装置を含む。この装置は、モバイル装置が少なくとも１つのデータアイテムを識別することに応じて、コンテンツ配信サービスから少なくとも１つのデータアイテムを受信するように構成された第１のネットワークインタフェースと、少なくとも１つのデータアイテムを格納するように構成されたストレージと、モバイル装置への接続を検出するように構成された第２のネットワークインタフェースと、この検出に応じて、ストレージからモバイル装置に少なくとも１つのデータアイテムを送信することと、を含む。このような一実施形態は、検出に応じてモバイル装置に充電電流を供給するように構成された電源を含む。一実施形態では、装置は、少なくとも１つの番組をデコードすることができない。
【０００７】
他の実施形態は、コンテンツプロバイダからコンテンツを取得する信頼性並びに中断された電子装置にコンテンツ及び電力を送信する信頼性を使用するレポジトリ装置と通信することにより、中断された電子装置がその後になって、要求された番組にアクセスすることを可能にする方法で、放送番組にアクセスし、放送番組を要求するための方法及び装置を含む。
【図面の簡単な説明】
【０００８】
【図１】図１は、モバイル装置に放送番組を提供する典型的なシステムを示すブロック図である。
【図２】図２は、図１に示されるようなモバイル装置の例を示すブロック図である。
【図３】図３は、モバイル装置に放送番組を提供する典型的なシステムを示すブロック図である。
【図４】図４は、図１に示した構成要素に関連する放送番組にアクセスする方法の一例を示すフローチャートである。
【図５】図５は、図１に示した構成要素に関連する放送番組にアクセスする方法の一例を示すフローチャートである。
【図６】図６は、図１に示した構成要素に関連する放送番組にアクセスする方法の一例を示すフローチャートである。
【詳細な説明】
【０００９】
以下の詳細な説明は、本開示の特定の実施形態を対象としている。しかしながら、本発明は、例えば請求項によって規定及びカバー（cover）されるような、多数の異なる方法により具現化されることができる。本明細書の本実施形態が種々の形態で具現化されること、及び本明細書に開示されている全ての特定の構造、機能、又はそれら両方が単に代表的なものであることは、明らかであろう。本明細書の教示に基づいて、当業者は、本明細書に開示されている実施形態が任意の他の実施形態とは独立に実施されることができること、及びこれらの実施形態のうちの２以上が種々の方法で組み合わされることができることを認識すべきである。例えば、装置は、本明細書で説明される任意の数の実施形態を使用して実施されることができ、或いは、方法は、本明細書で説明される任意の数の実施形態を使用して実行されることができる。さらに、そのような装置は、本明細書で説明される実施形態のうちの１以上に加えて他の構造、機能性、又は構造及び機能性を使用して、若しくは、本明細書で説明される実施形態以外の他の構造、機能性、又は構造及び機能性を使用して実施されることができ、或いは、そのような方法は、本明細書で説明される実施形態のうちの１以上に加えて他の構造、機能性、又は構造及び機能性を使用して、若しくは、本明細書で説明される実施形態以外の他の構造、機能性、又は構造及び機能性を使用して実行されることができる。
【００１０】
一実施形態では、放送媒体（broadcast media）を表示するように構成された装置は、他の機能を実行するように構成されることができる。時々、例えば、処理能力の不足、バッテリー電力を節約する必要性、又はユーザが同時に２つの作業を実行することができないことに起因して、機能が同時に実行されることができない。例えば、通話を受信したときに装置が放送番組をレンダリングしている場合、モバイル装置は、電話の呼び出しに応答するためにマルチメディア番組を通常は中断（interrupt）する。さらに、モバイル装置は、信号劣化によって放送信号を時々受信することができないことがある。従って、モバイル装置を使用して放送番組（broadcast program）を視聴している中断されたユーザは、番組の一部を失うこととなる。このことは、特にストリーミングメディアコンテンツに関して、ユーザにとって不便且つ厄介になりうる。従って、一実施形態によれば、モバイル装置からの要求（request）に応じて、番組の全部又は一部は、モバイル装置への後の送信のために、割り込みの影響を受けにくいネットワーク（例えば、有線（wired）ネットワーク接続）を介してレポジトリ装置（repository device）に送信される。例えば、レポジトリ装置は、装置が充電のために接続された際にモバイル装置にデータを伝達するように構成されたモバイル装置用の充電器又は充電局（charging station）を備えることができる。（ダウンロードするのに長時間を要するアイテム。）
一実施形態によれば、番組の一部、例えば、番組の見逃した部分又は中断された部分は、中断されたようなモバイル装置又はユーザによって自動的に識別されることができる。次に、要求は、設置された中継のレポジトリ装置の使用によってモバイル装置に番組を提供するように構成されたコンテンツ配信サービスに伝達されることができ、この中継のレポジトリ装置は、モバイル装置への無線接続よりも割り込みの影響を受けにくい有線接続又は他の接続を介して結合される。他の実施形態では、サーバは、取り出し（retrieval）のためにレポジトリ装置へ自動的に伝達された番組コンテンツを識別するために、所定の基準を適用することができる。他の実施形態では、モバイル装置は、流通システム（distribution system）又は他のヘッドエンドシステム（head-end system）のようなサーバに、識別された番組を要求し、例えば、その番組の全部又一部を要求する（request）。このサーバは、モバイル装置によって識別された番組に応じて番組を識別し、この番組をレポジトリ装置に送信するように構成される。この代わりに、モバイル装置のユーザは、番組、着信音（ringtone）及びアプリケーション等のデータのカタログからデータを要求する。
【００１１】
図１は、流通システム１１０を使用して、１以上のコンテンツプロバイダ１１２からモバイル装置１０２に放送番組（broadcast programming）を提供する典型的なシステム１００を示すブロック図である。単一のモバイル装置１０２が図１に示されるが、典型的なシステム１００は、任意の数のモバイル装置１０２を使用するように構成されることができる。システム１００は、流通システム１１０及びコンテンツプロバイダ１１２をさらに含むことができる。流通システム１１０は、コンテンツプロバイダ１１２からマルチメディア番組を示すデータを受信することができる。一実施形態では、流通システム１１０は、モバイル装置１０２への連続する配信のために、プロキシ又はレポジトリ装置１４０に番組データを配信することができる。マルチメディア番組は、有線又は無線番組通信リンク１０８を通じてレポジトリ装置１４０に伝達されることができる。一実施形態では、通信リンク１０８は、高速リンク又はブロードバンドリンクとすることができる。一実施形態では、コンテンツプロバイダ１１２は、流通システム１１０を回避して、モバイル装置１０２へ第２の無線又は有線リンク１４６を通じて直接にコンテンツを伝達することができる。他の実施形態では、複数のコンテンツプロバイダ１１２が複数の配信システム１１０を使用して、モバイル装置１０２に番組を提供することができることは、認識されるべきである。
【００１２】
図１の典型的なシステム１００では、番組通信リンク１０８は、一方向のネットワークとして示されている。しかしながら、番組通信リンク１０８は、完全に対称な双方向ネットワークであってもよい。番組通信リンク１０８は、イーサネット（登録商標）、電話（例えば、ＰＯＴＳ）、ケーブル、電源供給ライン（power-line）、及び光ファイバーシステムのうちの１以上、及び／又は以下に示す無線通信システムを含む１以上の有線及び／又は無線リンクを含むことができる。この無線通信システムは、符号分割多元接続（ＣＤＭＡ又はＣＤＭＡ２０００）通信システム、周波数分割多元接続（ＦＤＭＡ）システム、ＧＳＭ（登録商標）／ＧＰＲＳ（汎用パケット無線システム）／ＥＤＧＥ（エンハンストデータＧＳＭ環境）（enhanced data GSM environment）のような時分割多元接続（ＴＤＭＡ）システム、ＴＥＴＲＡ（地上波トランクド無線）（Terrestrial Trunked Radio）携帯電話システム、広帯域符号分割多元接続（ＷＣＤＭＡ）システム、モバイルオリジネーティドショートメッセージサービス（ＭＯ−ＳＭＳ：Mobile-Originated Short Message Service）システム、３Ｇデータネットワークシステム、高データレート（１ｘＥＶ−ＤＯ又は１ｘＥＶ−ＤＯゴールドマルチキャスト）（1xEV-DO or 1xEV-DO Gold Multicast）システム、ＩＥＥＥ８０２．１１システム、メディアＦＬＯシステム、ＤＭＢシステム、直交周波数分割多元接続（ＯＦＤＭ）システム、又はＤＶＢ−Ｈシステムのうちの１以上を含む。
【００１３】
典型的なシステム１００では、モバイル装置１０２は、リンク１０８に関連して上述されたネットワークの全てのものを含むことができる第３の通信リンク１０６で通信するように構成されることができる。一実施形態では、通信リンク１０６は、典型的なシステム１００に示されるように、双方向の通信リンクでありうる。通信リンク１０６は、モバイル装置１０２と放送センタ又は流通システム１１０との通信、及び／又はモバイル装置１０２とコンテンツプロバイダ１１２との間の通信に使用されることができる。一実施形態では、流通システム１１０は、放送センタとすることができる。第３の通信リンク１０６は、音声トラフィック及び／又はデータトラフィックを伝達するように構成された無線ネットワークを通じてさらに促進されることができる。通信リンク１０６は、流通システム１１０及びモバイル装置１０２間で番組ガイド（program guide）及び他のデータを伝達することができる。
【００１４】
モバイル装置１０２は、番組通信リンク１０８を通じて受信されたマルチメディア番組をレンダリングするように構成されたレンダリングモジュール１２２を含む。レンダリングモジュール１２２は、アナログ及び／又はデジタル技術を含むことができる。レンダリングモジュール１２２は、ＭＰＥＧ−ｘ及びＨ．２６ｘ標準規格等の国際規格に基づいた符号化／復号方法を使用するような、ビデオエンコーダ／デコーダのような１以上のマルチメディア信号処理システムを含むことができる。そのような符号化／復号方法は、一般に、送信及び／又は記憶のためにマルチメディアデータを圧縮するように向けられる。
【００１５】
モバイル装置１０２への番組コンテンツの伝達に加えて、流通システム１１０は、番組ガイドサービス１２６をさらに含むことができる。番組ガイドサービス１２６は、コンテンツプロバイダ１１２及び／又は他のソース（source）から、番組スケジュール及びコンテンツに関連するデータを受信し、モバイル装置１０２に電子番組ガイド（ＥＰＧ：electronic programming guide）１２４を示すデータを伝達する。ＥＰＧ１２４は、番組通信リンク１０８を通じて受信されて利用することができる複数の番組についての放送スケジュールに関連するデータを含むことができる。ＥＰＧデータは、番組のタイトル、開始及び終了時間、番組のカテゴリ分類（例えば、スポーツ、映画、コメディー）、品質評価、成人コンテンツレーティング（rating）等を含むことができる。ＥＰＧ１２４は、番組通信リンク１０８を通じてモバイル装置１０２に伝達され、モバイル装置１０２に格納されることができる。他の実施形態では、モバイル装置は、流通システムから利用可能なデータのカタログ（catalog）を提供する。そのようなデータは、ユーザが興味を持つ可能性があるオーディオ、グラフィックス、アプリケーション及びテキストを含む。一実施形態では、カタログは、ユーザ毎に装置によってフィルタリングされる（filtered）。
【００１６】
モバイル装置１０２、流通システム１１０及びコンテンツプロバイダ１１２は、レポジトリ装置１４０とさらに通信していることができる。例えば、システム１００は、モバイル装置１０２とレポジトリ装置１４０との間の通信リンク１３２を含むことができる。リンク１３２は、有線又は無線ネットワークのうちの１以上を含むことができる。一実施形態では、リンク１３２は、例えばユニバーサルシリアルバス（ＵＳＢ）又はＩＥＥＥ−１３９４等のインタフェースを使用するような、データネットワーク及び電源接続の両方を含む。一実施形態では、リンク１３２は、電源接続と、無線イーサネット（登録商標）又はＢｌｕｅｔｏｏｔｈ（登録商標）接続等の別個のネットワークとを含む。
【００１７】
レポジトリ装置１４０は、充電モジュール１３４、放送ストレージ１３６及びブロードバンドデータインタフェース１４４を含むことができる。一実施形態では、レポジトリ装置１４０は、受信した番組コンテンツを復号するように構成されるのではなく、コンテンツを受信し、受信したコンテンツを放送ストレージ１３６に格納し、さらに、コンテンツを復号又は変更せずにモバイル装置１０２に提供するように構成される。一実施形態では、レポジトリ装置１４０は、デジタル権利管理スキームの一部として、データを少なくとも部分的に暗号化するように構成されることができる。
【００１８】
一実施形態では、充電モジュール１３４は、通信リンク１３２を通じてモバイル装置１０２に充電を提供するように構成される。他の実施形態では、別個の充電接続又はバスが使用されることができる。一実施形態では、レポジトリ装置１４０は、モバイル装置１０２との通信、及び／又はモバイル装置１０２の充電のための複数のインタフェースを含む。そのような実施形態では、レポジトリ装置１４０は、インタフェースのうちの接続されたものを探索し、或いはそのようなインタフェースをポーリングする（poll）ように構成されることができる。
【００１９】
上述したように、通信リンク１３２は、例えば有線のＵＳＢ２．０接続、Ｂｌｕｅｔｏｏｔｈ（登録商標）接続、ファイヤーワイヤー接続、又は代替の有線データ及び電力接続を含み、モバイル装置１０２にデータ及び電力を供給するように構成された有線又は無線リンクでありうる。他の実施形態では、レポジトリ装置１４０からモバイル装置１０２への接続は、モバイル装置及びレポジトリ装置間でデータを受け渡すために使用されるとともに、モバイル装置を充電するために使用されることができる。
【００２０】
ブロードバンドインタフェース１４２は、モバイル装置１０２及び流通システム１０８を含むインターネット等の共用ネットワークへのネットワークリンク１３８を介して、レポジトリ装置１４０と、流通システム１１０、コンテンツプロバイダ１１２又はモバイル装置１０２等の外部のエンティティ（entity）と、に対して通信インタフェースを提供するように構成されることができる。レポジトリ装置１４０は、他の通信リンク１４４を通じて、ブロードバンドインタフェース１４２を介してコンテンツプロバイダ１１２と直接通信するようにも構成されてもよく、或いは、ポジトリ装置１４０は、他の通信リンク１４４を通じて、ブロードバンドインタフェース１４２を介してコンテンツプロバイダ１１２と直接通信するように構成されてもよい。一実施形態では、通信リンク１３８は、双方向のインタフェースを含むことができる。一実施形態では、通信リンク１４４は、一方向又は放送ネットワークを含む。一実施形態では、通信リンク１３８及び／又は１４４は、例えばローカルネットワークへのブロードバンドインターネット接続又はＷｉ−Ｆｉ接続のような有線又は無線通信リンクでありうる。
【００２１】
図２は、図１に示したようなモバイル装置１０２の一例を示すブロック図である。モバイル装置１０２は、番組通信リンク１０８を通じて通信するネットワークインタフェース２０８、及びメモリ２０４と通信することができるプロセッサ２０２を含む。ネットワークインタフェース２０８は、一方向の番組通信リンク１０８を通じてデータを受信するように構成された受信器２２４を含む。ネットワークインタフェース２０８及び受信器２２４は、イーサネット（登録商標）、電話（例えば、ＰＯＴＳ）、ケーブル、電力供給ライン、及び光ファイバーシステムを含む有線技術、並びに／或いは、以下に示す無線技術に従って信号を受信することができる。この無線技術は、符号分割多元接続（ＣＤＭＡ又はＣＤＭＡ２０００）通信システム、周波数分割多元接続（ＦＤＭＡ）システム、ＧＳＭ／ＧＰＲＳ（汎用パケット無線システム）／ＥＤＧＥ（エンハンストデータＧＳＭ環境）のような時分割多元接続（ＴＤＭＡ）システム、ＴＥＴＲＡ（地上波トランクド無線）携帯電話システム、広帯域符号分割多元接続（ＷＣＤＭＡ）システム、モバイルオリジネーティドショートメッセージサービス（ＭＯ−ＳＭＳ）システム、３Ｇデータネットワークシステム、高データレート（１ｘＥＶ−ＤＯ又は１ｘＥＶ−ＤＯゴールドマルチキャスト）システム、ＩＥＥＥ８０２．１１システム、メディアＦＬＯシステム、ＤＭＢシステム、直交周波数分割多元接続（ＯＦＤＭ）システム、又はＤＶＢ−Ｈシステムのうちの１以上を含む。
【００２２】
モバイル装置１０２は、双方向通信リンク１０６を使用して通信するために、オプションの第２のネットワークインタフェース２０６を含むことができる。モバイル装置１０２が双方向通信リンク１０６を通じて１以上の装置と通信することができるように、ネットワークインタフェース２０６は、任意の適切なアンテナ（図示せず）、受信器２２０及び送信器２２２を含むことができる。
【００２３】
モバイル装置１０２は、有線又は無線通信リンク１３２を使用して通信するために、オプションの第３のネットワークインタフェース２３８を含むことができる。モバイル装置１０２が通信リンク１３２を通じて１以上の装置と通信することができるように、ネットワークインタフェース２３８は、受信器２３６及び送信器２３４を含むことができる。一実施形態では、モバイル装置１０２は、図１のレポジトリ装置１４０と通信するために有線又は無線通信リンク１３２を使用する。
【００２４】
モバイル装置１０２は、ディスプレイ２１０、キー、タッチスクリーン、又は他の適切な触知できる（tactile）入力装置等のユーザ入力装置２１２、通信リンク１０６を通じて受信された信号に基づいたオーディオ出力（audible output）を提供するように構成されたトランスデューサを含むラウドスピーカ２１４、及び／或いは通信リンク１０６、１０８又は１３２を通じて送信されることができる信号のオーディオ入力（audible input）を提供するように構成されたトランスデューサを含むマイクロホン２１６のうちの１以上をさらに含むことができる。
【００２５】
モバイル装置１０２は、装置１０２の１以上の構成要素に電力を供給するバッテリー２４０、及びバッテリー２４０に電源を供給するように構成された充電回路２４２を随意的に含むことができる。モバイル装置１０２は、携帯電話機、携帯情報端末（personal digital assistant）、ラップトップコンピュータ、ヘッドセット、ビークルハンズフリー装置（vehicle hands free device）、又は任意の他の電子装置のうちの少なくとも１つを含むことができる。例えば、本明細書に示した１以上の実施形態は、電話（例えば、セルラ電話）、パーソナルデータアシスタント（ＰＤＡ： personal data assistant）、エンターテインメント装置（例えば、音楽又はビデオ装置）、ヘッドセット（例えば、ヘッドホン、イヤホン）、マイクロホン、又は任意の他の適切な装置に組み込まれることができる。
【００２６】
本明細書で説明された構成要素は、種々の方法で実施されることができる。図２を参照すると、モバイル装置１０２は、例えば、プロセッサ２０２、ソフトウェア（図示せず）、それらを組み合わせたもの、又は本明細書に教示されるような他の方法によって実施される相互に関連する機能ブロック一式として示されている。例えば、プロセッサ２０２は、入力装置２１２を使用してユーザ入力を促進することができる。さらに、送信器２２２は、一例として、他のモバイル装置に情報を送信することに関連する種々の機能性を提供するプロセッサ（図２には示されない）を含むことができる。ほとんど同じように、送信器２３４は、一例として、レポジトリ装置１４０に情報を送信するためにプロセッサ（図２には示されない）を含むことができる。さらに、受信器２２０、２２４又は２３６は、一例として、他のモバイル装置から情報を受信することに関連する種々の機能を提供するプロセッサ（図２の中で示されない）を含むことができる。
【００２７】
モバイル装置１０２は、通信リンク１０６、１０８又は１３２から同時入力を容認するように、或いは拒否するように構成されることができる。一例として、プロセッサ２０２は、ブロードバンドの一方向インタフェース２０８が番組通信リンク１０８を通じてデータ又は信号を受信しているのと同時に、双方向ネットワークインタフェース２０６の受信及び／又は送信機能を実行することができないことがある。従って、例えば、一実施形態では、通話等の信号が通信リンク１０６を通じて受信されると、番組の放送の受信又は表示は、番組通信リンク１０８に関して中断されることがある。一実施形態では、ユーザが通話を受信している場合のように、装置が他のタスクを実行している場合、ユーザが通話をレポジトリ装置１４０から要求された番組の送信又は表示は、番組通信リンク１３２に関して中断されることがある。
【００２８】
いくつかの実施形態では、装置（device or apparatus）１０２は、集積回路（ＩＣ）を含むことができる。従って、集積回路は、図２に示されるプロセッサ構成要素の機能性を提供する１以上のプロセッサを含むことができる。例えば、いくつかの実施形態では、シグナルプロセッサは、図示されたプロセッサ構成要素の機能性を実施することができるのに対して、他の実施形態では、２以上のプロセッサは、図示されたプロセッサ構成要素の機能性を実施することができる。さらに、いくつかの実施形態では、集積回路は、図示されたプロセッサ構成要素の機能性の一部又は全部を実施する他のタイプの構成要素を含むことができる。
【００２９】
本明細書に開示された実施形態に関連して説明された、いかなる実例となる論理ブロック、モジュール及び回路も、集積回路、アクセスターミナル又はアクセスポイントに組み込まれ、或いは、集積回路、アクセスターミナル又はアクセスポイントによって実行されることができる。ＩＣは、汎用プロセッサ、デジタルシグナルプロセッサ（ＤＳＰ）、識別用途向け集積回路（ＡＳＩＣ）、フィールドプログラマブルゲートアレイ（ＦＰＧＡ）又は他のプログラマブル論理装置、ディスクリートゲート又はトランジスタロジック、個別のハードウェア構成機器、電気構成機器、光学構成機器、機械構成部品、又は本明細書で説明された機能を実行するように設計されたそれらを組み合わせたものを含み、ＩＣ内部に、ＩＣ外部に、又はそれら両方に備わっているコード又は命令を実行することができる。汎用プロセッサは、マイクロプロセッサとすることができ、しかし、代替として、プロセッサは、いかなる従来のプロセッサ、コントローラ、マイクロコントローラ又は状態機械であってもよい。プロセッサは、コンピュータ装置の組み合わせとして実施されることもでき、このようなコンピュータ装置の組み合わせは、例えば、ＤＳＰ及びマイクロプロセッサの組み合わせ、複数のマイクロプロセッサ、ＤＳＰコアと連動する１以上のマイクロプロセッサ、又は他のそのような構成である。
【００３０】
当業者は、本明細書に開示された実施形態に関連して説明された種々の実例となる論理ブロック、モジュール、回路、及びアルゴリズムブロックが電子ハードウェア、コンピュータソフトウェア、又は両方を組み合わせたものとして実施されることができることを認識するだろう。ハードウェア及びソフトウェアのこの互換性を明りょうに示すために、種々の実例となる構成要素、ブロック、モジュール、回路、及びステップは、それらの機能性に関して一般的に上述されている。そのような機能性がハードウェア又はソフトウェアとして実施されるか否かは、全体のシステムに課される設計制約及び識別用途に依存する。当業者は、識別用途毎に種々の点において説明された機能性を実施することができ、しかし、そのような実施決定は、本開示の範囲からの逸脱を生じると解釈されるべきではない。
【００３１】
本明細書に開示される実施形態に関連して説明された方法又はアルゴリズムのステップは、ハードウェアで直接に、プロセッサによって実行されたソフトウェアモジュールで、或いはその２つの組み合わせで具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は技術的に知られている他の形態の記憶媒体に備わっていることができる。典型的な記憶媒体は、プロセッサに結合されていることができ、このようなプロセッサは、この記憶媒体から情報を読み出すことができ、かつ、この記録媒体に情報を書き込むことができる。代替として、記憶媒体は、プロセッサに組み込まれてもよい。プロセッサ及び記憶媒体は、ＡＳＩＣに備わっていることができる。ＡＳＩＣは、ユーザ端末に備わっていることができる。代替として、プロセッサ及び記憶媒体は、ユーザ端末内の別個の部品として備わっていてもよい。
【００３２】
図３は、レポジトリ装置１４０を経由してモバイル装置１０２にデータを提供するための典型的なシステム３００を示すブロック図である。モバイル装置１０２が１つである例が図３に示されているが、典型的なシステム３００は、任意の数のモバイル装置１０２を使用するように構成されることができる。システム３００は、レポジトリ装置１４０が通信リンク１３２の使用によって充電機能及びデータ送信機能の両方を提供する典型的なシステムの実例を提供する。レポジトリ装置１４０への接続１３２が確立されていることの検出を受けて、ネットワーク接続３１０を使用するなどして、モバイル装置１０２がレポジトリ装置１４０に近接している場合に装置の同期セッションが生じることができる。一実施形態では、電源３０６によって供給される電力を使用して有線ネットワーク接続が確立される場合、レポジトリ装置１４０は、モバイル装置１０２を充電するように構成される。電源３０６は、例えば、電気出力（electrical output）であることができ、リンク３１０を介してモバイル装置１０２を充電するために、レポジトリ装置１４０に電流又は電圧源を供給することができ、それは、一実施形態では、ネットワーク接続１３２の１以上のインタフェース又はバス構成要素を含む。代替として、接続１３２は、電力接続３０６と分離した接続であってもよい。例えば、一実施形態では、レポジトリ装置１４０は、モバイル装置１０２とのデータ接続１３２と分離した電力接続３１０の実装によってモバイル装置１０２を充電するように構成されることができる。他の実施では、レポジトリ装置１４０及びモバイル装置１０２間に電力接続はない。
【００３３】
一実施形態では、レポジトリ装置１４０は、１以上の指定されたモバイル装置１０２に関連づけられる。さらに、一実施形態では、レポジトリ装置１４０は、ストレージモジュール、ＵＳＢインタフェース、及びＷｉ−Ｆｉネットワークインタフェースを含むことができる。さらに、レポジトリ装置１４０は、特定のレポジトリ装置１４０への配信を予定されているいくつかの番組があるか否かを判断するために、広域ネットワーク接続を使用することによって、流通システム１１０を周期的にポーリングすることができる。一実施形態では、レポジトリ装置１４０は、持続するデータ接続性（persistent data connectivity）を備えた装置を含む。無線ローカルエリア接続の範囲にある場合、或いは、ハードワイヤー（hardwire）によって、例えば物理的な結合等によって、そのようなネットワークに接続される場合、モバイル装置１０２は、レポジトリ装置１４０と自動的に同期することができる。装置の同期セッション中に、レポジトリ装置１４０は、視聴の使用データ（viewing usage data）を得るために使用され、その結果、提示しているコンテンツ用に、対象とされた広告用に、又はカタログのフィルタリング用に、モバイル装置１０２のユーザのプロフィール（profile）を作成するのに使用されるデータを得ることができる。
【００３４】
流通システム１１０は、コンテンツプロバイダ１１２（図３に示されていない）からマルチメディア番組及び他のコンテンツを示すデータを受信することができ、モバイル装置１０２によるコンテンツの識別に応じて、配信センタ１１０からレポジトリ装置１４０にコンテンツを送信するために通信リンク１３８を使用する。
【００３５】
レポジトリ装置１４０は、通信リンク１３２を使用してモバイル装置１０２と通信することができる。一実施形態では、レポジトリ装置１４０及びモバイル装置１０２間のデータ接続１３２は、信号及び電力構成要素（例えば、電力及びデータを供給するＵＳＢ接続）を含むことができる。他の実施形態では、データ接続１３２は、レポジトリ装置１４０及びモバイル装置１０２間の無線ネットワークを含むことができる。レポジトリ装置１４０は、有線又は無線インターネット接続、或いは、ケーブルヘッドエンドを経由するようなヘッドエンドへの専用の接続を含む任意の適切なネットワーク接続を使用して、流通システム１１０と通信することができる。モバイル装置１０２は、レポジトリ装置のネットワーク接続を構成するために適切なユーザインタフェースを提供することができる。
【００３６】
一実施形態では、システム３００は、レポジトリ装置１４０との統合によって、モバイル装置１０２にデータ配信サービスを提供する。一実施形態では、データサービス提供物は、レポジトリ装置１４０に配信されている選択されたコンテンツとともに、放送ネットワークによって供給される。そのようなコンテンツは、ニュース、天気、スポーツ、グラフィックス、着信音、壁紙、アプリケーションデータ、実行ファイル、或いは他のタイプのニュース、エンターテインメント又は教育用コンテンツを含むことができる。
【００３７】
図４は、モバイル装置１０２による放送番組へのアクセスの方法４００の一例を示すフローチャートである。方法４００は、ブロック４０２から始まり、ブロック４０２では、モバイル装置１０２が放送ネットワーク１０８等の放送ネットワークから利用可能なコンテンツを識別するデータを受信する。データは、ネットワーク１０８を介して、又はネットワーク１０６等の他のネットワークを介して受信される番組カタログを含むことができる。一実施形態では、モバイル装置１０２は、後の受信のために、そのようなコンテンツアイテム（content item）のうちの１以上を識別することができる。要求は、識別されたコンテンツを選択するために１以上の基準、例えば、キーワード、チャネル、評価、又はランキングのうちの１以上を含むことができる。一実施形態では、要求は、繰り返し発生する（recurring）テレビ番組のような、コンテンツアイテムのシリーズを識別する情報を含む。一実施形態では、要求は、中断された番組の少なくとも１つの中断された放送を識別する。例えば、モバイル装置１０２は、着信してくる音声電話のようなモバイル装置１０２に関連する状態、モバイル装置１０２に関する他のアクティビティ（activity）、ネットワーク接続性の喪失（loss）若しくはネットワーク回線容量（bandwidth）又はサービス品質の低下、閾値より低いデータ品質インジケータを有する放送の特定部分、並びに指定された閾値より低いバッテリーレベル等の状態に起因して、番組を受信することができない、或いは、受信し続けることができないことを判断することができる。モバイル装置１０２は、中断された番組の識別を受けて要求を送信してもよい。次に、ブロック４０４では、モバイル装置１０２は、例えばモバイル装置１０２による後の取り出しのために、コンテンツ配信サービス、例えば、流通システム１１０又はコンテンツプロバイダ１１２からレポジトリ装置１４０への少なくとも１つのコンテンツアイテムの要求を、ネットワーク１０６等の無線ネットワークを通じて送信する。次に、ブロック４０６では、モバイル装置１０２は、例えばネットワーク接続１１０を介するような、レポジトリ装置１４０との接続を検出する。ブロック４０８に進むと、接続の検出に応じて、モバイル装置１０２は、接続１３２を使用してレポジトリ装置１４０からコンテンツアイテムの少なくとも一部を受信する。次に、ブロック４１０において、一実施形態では、モバイル装置１０２のバッテリー２４０は、レポジトリ装置１４０内の充電モジュール１３４から受け取る電力で充電される。
【００３８】
図５は、例えばレポジトリ装置１４０を使用してコンテンツを提供する方法５００の一例を示すフローチャートである。方法は、ブロック５０２から始まり、ブロック５０２では、流通システム１１０は、少なくとも１つのコンテンツアイテムに関してモバイル装置１０２から要求を受け取る。この要求は、コンテンツを識別する１以上の基準（criteria）を含むことができる。流通システム１１０は、コンテンツアイテムの少なくとも一部及び／又は関連する番組のシリーズ（series）を選択するためにこれらの基準を適用することができ、この選択に応じて一部又はシリーズを伝達することができる。次に、ブロック５０４では、流通システム１１０は、要求がなされた特定のモバイル装置１０２に関連づけられたレポジトリ装置１４０のインスタンス（instance）を識別する。流通システム１１０は、ストレージ又は他の不可欠のデータベース（integral database）から、或いは外部サーバ装置から、登録されたモバイル装置１０２の装置情報を取り出す（retrieve）ことができる。ブロック５０６に移動すると、流通システム１１０は、モバイル装置１０２への送信のために、レポジトリ装置１４０等の持続性（persistent）（例えば、流通システム１１０と持続的にネットワーク接続されている）装置へ識別された番組の少なくとも一部を伝達する。流通システム１１０は、放送ネットワークを通じてモバイル装置と通信する放送ネットワーク１０８より高い信頼性を有するブロードバンドネットワーク、例えばネットワーク接続１３８又は１４４のうちの１つを通じて、レポジトリ装置１１０と通信することができる。流通システム１１０によって識別された特定のレポジトリ装置及び特定のモバイル装置１０２に基づいて、流通システム１１０は、モバイル装置１０２への後の送信のために、特定のレポジトリ装置１４０へモバイル装置が要求したコンテンツを送信する。
【００３９】
図６は、モバイル装置１０２を介して要求されたコンテンツにアクセスする方法６００の一例を示すフローチャートである。方法６００は、ブロック６０２から始まり、ブロック６０２では、レポジトリ装置１４０は、モバイル装置１０２がレポジトリ装置１４０への配信のためのコンテンツを識別又は要求することに応じて、少なくとも１つのコンテンツアイテムを受け取る。次に、ブロック６０４では、レポジトリ装置１４０は、コンテンツを、例えばストレージ１３６に、格納する。次に、ブロック６０８では、レポジトリ装置１４０は、例えば通信リンク１３２を使用するような、モバイル装置への接続を検出する。通信リンク１３２は、ローカルのモバイル装置との接続を検出するために、無線又はワイヤードＵＳＢ接続を含むことができる。ブロック６１０に移動すると、モバイル装置１０２の検出に応じて、レポジトリ装置１４０は、通信リンク１３２への検出接続を使用して、格納されたコンテンツを、モバイル装置１０２に送信する。ブロック６１２に進むと、レポジトリ装置１４０、及び特に充電モジュール１３４は、モバイル装置１０２を充電する。一実施形態では、充電電力は、通信リンク１３２を含む共有バス又はケーブルを介して、例えばＵＳＢを介して、供給される。例えばモバイル装置が充電される場合、望ましくは、コンテンツは、モバイル装置１０２へタイミングよく（conveniently）かつ透過的に（transparently）伝達される。
【００４０】
一実施形態では、レポジトリ装置１４０内の放送番組ストレージ１３６は、モバイル装置１０２へのコンテンツの転送が完了すると、このコンテンツを削除するように構成される。他の実施形態では、ユーザによって新たに要求されたコンテンツを格納するためにスペース（space）が必要になるまで、レポジトリ装置１４０内の放送番組ストレージ１３６は、コンテンツを保持し、最も古いコンテンツがメモリから最初に削除される。
【００４１】
本開示の装置及び方法は、モバイル装置がユーザに放送番組を識別する能力を与えることを可能にすることによって、テレビジョン「オンデマンド」サービスを提供するために使用されることができ、放送番組がそのようなオンデマンドコンテンツを含むことができ、一方、配信は、レポジトリ装置１４０を使用して促進されることができる。購入は、スポット購入（one time purchase）とすることができ、或いはその代わりに、繰り返し発生するシリーズのいくつかのエピソード又は全てのエピソードの購入であってもよい。スポーツ番組に関しては、配信されるコンテンツは、１以上のチームの１シーズン中のゲームの全部又は一部、ハイライト、圧縮されたゲーム、或いは、フルゲームを含むことができる。モバイル装置１０２は、特定のエンティティ又は主題に関連する全てのコンテンツを提供するために、要求を提供するように構成されることができる。例えば、「ＮＹヤンキース」基準は、ＮＹヤンキース球団に関するゲーム、インタビュー及びフィルムドキュメンタリーを配信することができる。
【００４２】
一実施形態では、「オンデマンド」配信は、モバイル装置１１０、レポジトリ装置１４０及び／又は流通システム１１０上で実行するセキュリティキー及び権利管理アルゴリズムの援助で実施される購入、レンタル、又は予約（subscribe）のオプションを含むことができる。例えば、予約（subscription）サービスは、ユーザが番組のリスト（list）を管理することを可能にするように構成されることができ、それによって、有効期限（expiry）後に、或いは、視聴完了時に、番組又は映画が装置から削除され、新しい番組又は映画がレポジトリ装置１４０を介して配信される。
【００４３】
本開示の装置及び方法は、パーソナルビデオレコーディング（ＰＶＲ：personal video recording）サービスを提供するために使用されることができ、このパーソナルビデオレコーディングサービスでは、スケジュールを介して放送ネットワーク１０８から選択された番組は、レポジトリ装置１４０によって、しばらく経過してからの視聴のために、記録されることができる。このようなＰＶＲサービスは、モバイル装置の番組ガイド１２４への、番組ガイドサーバ１２６を介して受信されたデータから、番組又は番組（shows or programs）をユーザが選択することを可能にするように構成されることができる。アイテムは、番組ガイド１２４に基づいてアイテムにタグを付けることによって選択され、上述した方法に従ったレポジトリ装置１４０を経由した配信のためにフラグを立てられる（flag）。
【００４４】
システム１００によって提供されるサービスの典型的な実施形態では、エンハンスト番組（enhanced program）は、モバイル装置１０２に送信するためのコンテンツプロバイダ１１２によって作成されることができ、それは、追加のコンテンツ、例えば、サービスのエピソードに関する放送コンテンツに関して生じ、或いは拡張するコンテンツ等を含むことができる。望ましくは、コンテンツプロバイダは、レポジトリ装置１４０が利用可能な増大した回線容量を利用して、システム１００によって提供される番組を向上させるためにそのような追加のコンテンツを使用することができる。さらに、他の実施形態では、番組は、付属のクリップ（clip）、ビデオ、オーディオ、及びその番組に関する他の情報（例えば、舞台裏）で更新されることもできる。
【００４５】
いくつかの実施形態では、レポジトリ装置１４０は、放送ネットワークからの所望の番組を記録するために、放送送信を受信するためのエアーインタフェース（air interface）（例えば、ＡＴＳＣ受信器のようなデジタルテレビジョン受信器）を含み、それによって、モバイル装置１０２に番組を提供しながらも、配信センタ１１０と双方向通信するために使用される広域ネットワークの回線容量を節約する。
【００４６】
本開示の装置及び方法は、個別のチャネルサービスを提供するために使用されることができ、それによって、モバイル装置１０２は、関連するユーザによってなされた優先選択（preference selection）に基づいてコンテンツを提供される。チャネル毎のメタタグデータ（meta tag data）は、レポジトリ装置１４０を経由して予約したユーザに配信され、それは、選択されたタグの参照によってユーザが視聴したいコンテンツを各ユーザが示すことを、即ち、そのようなコンテンツをフィルタリングする（filter）ことを、可能にする。これらのフィルタは、モバイル装置１０２から、又は放送エンティティによって提供されるウェブサイトから設定され、或いは、管理されることができる。これらのフィルタは、好ましくはチャネル（即ち、ＭＬＢ、ＣＮＮ、ＭＴＶ等）に特有であり、或いは、異なるチャネルからの番組の混合物ということもありうる。例えば、「マイＭＬＢチャネル（My MLB Channel）」は、ユーザが興味を持っているチーム（又は複数のチーム）をユーザが選択することを可能にし、ユーザが興味を持っている選手（又は複数の選手）をユーザが選択することを可能にするだろう。レポジトリ装置１４０、流通システム１１０、又はモバイル装置１０２のうちの１つは、これらのフィルタを格納し、かつモバイル装置１０２へフィルタ（例えば、チームのハイライト、選手のハイライト等）にマッチする（match）番組を配信するように（又はそのような番組の配信を要求するように）構成されることができる。例えば、「マイＣＮＮチャネル（My CNN Channel）」は、そのようなフィルタを使用して、関心のトピック分野（技術、政治、世界のニュース、健康、スポーツ）をユーザが選択することを可能にし、かつレポジトリ装置１４０を介して、ユーザのモバイル装置１０２において、マッチした番組を受信するように構成されることができる。
【００４７】
本開示の装置及び方法は、好ましくは予約ベースのトランザクション（subscription based transaction）において、個別の無線局を構築してユーザに提供するために使用されることができる。メタデータは、ユーザが好む音楽のタイプ（年度又はアーティストに対して可能な精度で、ロック、ブルース、カントリー又は他の基準）をフィルタリングするために、ユーザのモバイル装置に提供されることもできる。その後、フィルタは、モバイル装置１０２から、又は予約サービスプロバイダのウェブサイトから設定され、或いは、管理される。時間とともに、これらの「ヒューリスティックス（heuristics）」は、ユーザが最も多く聞くものの実際の使用データに基づくことができ、フィルタの管理が自動的に／インテリジェントに（intelligent）になって、ユーザにとって負担が少なくなる結果となる。レポジトリ装置１４０及び／又は流通システム１１０は、これらのフィルタを格納し、番組ガイドサービス１２６からのようなデータとそれらをマッチさせて、モバイル装置にフィルタ基準とマッチした歌曲（オーディオファイル）を（即ち、レポジトリ装置を使用して継続的にアップデートされるような、１の放送局（station）当たり５０から１００の歌曲を）受け取ることができる。さらに、ユーザは、フィルタリングに関する追加の基準を与えるために、楽曲を「評価」する（一つ星、五つ星）。上述したように、時間とともに、インテリジェント／自動ヒューリスティックプロフィールは、ユーザが好むもの、及び好まざるものを自動的に決定するように作られることができる。いくつかの実施形態では、ユーザは、放送局上の歌曲をスキップし（skip）、或いは「購入（buy it）」オプションを使うことができ、購入は、「放送局」から歌曲のロックを解除し、ユーザにその歌曲の料金を請求する。他の実施形態では、歌曲は、より十分なユーザ経験を作成してみると、完全なミュージックビデオに取って代わられる。さらに、ユーザは、個別の放送局を「公開する」ことができ、追加のウイルスの購入を場合によっては促進する、流通システム１１０又はコンテンツプロバイダ１１２からのインターネットストリームのような、他者が利用可能な放送局を作ることができる。
【００４８】
一実施形態では、配信された番組が既に放送されたコンテンツであるので、流通システム１１０は、任意の連続するＰＶＲ要求に関するレポジトリ装置１４０分配を可能にするように、所定の時間に各番組を格納する。代替として、各レポジトリ装置１４０は、番組が既に放映された後にモバイル装置１０２が記録オプションを選択することを可能にするように、所定期間に亘って番組の全て又はいくらかを記録してもよい。他の実施形態では、モバイル装置１０２は、いつ装置が受信劣化又は全損失を経験したか示すイベントログを保存する。その後、レポジトリ装置１４０は、中断された番組をユーザが視聴したか否かを判断するためにイベントログを参照する。一実施では、レポジトリ装置１４０は、モバイル装置使用者が中断された番組の残り（remaining）を取り出したいか否かを指示するために、モバイル装置使用者にインタフェースを提供する。ユーザが残り、即ち、番組の中断された部分を取り出したい場合、レポジトリ装置１４０は、「オンデマンド」動作に関して上述したように、流通システム１１０から番組を取り出し、或いは、そのような部分がレポジトリ装置１４０の放送番組ストレージ１３４に既に存在していれば、ローカルメモリから残りを取り出す。一実施形態では、ユーザが「コンプリート（complete）」オプションを選択する場合、レポジトリ装置１４０は、視聴済みの部分に残りの部分を継ぎ合わせる。
【００４９】
本明細書で説明された装置及び方法は、対象となる広告機能を促進するネットワークオペレータによって要求されるように、種々の広告がモバイル装置１０２に格納されていることを保証することによって、対象となる広告を供給する能力を有する改善されたモバイル放送ネットワークを提供するために使用されることができる。具体的には、本開示のシステムは、モバイル装置１０２へのファイル配信の保証に関連する課題を最小化し、そうでなければ、オペレータは、上述した装置同期要件に起因して、ファイル又は対象となる広告コンテンツが着くか否かに関して不確かであろう。さらに、放送ネットワークを通じた全ての考えられる広告を送信し、その後に、純粋な放送環境の状態でありうるユーザプロフィールに基づいて装置１０２においてフィルタリングされる代わりに、流通システム１１０は、収集された使用データを経由したユーザのプロフィールに関連する利用可能な情報を有するので、配信を保証し、かつネットワーク容量を節約するために、取り出されたプロフィールに関連性のあるポジトリ装置１４０広告を勧める。従って、放送ネットワーク１０８を通じて全ての広告を配信するためにネットワーク容量を占有する代わりに、システム１０は、放送ペレータの送信回線容量を節約し、かつ、適切な対象の広告の配信を保証するレポジトリ装置１４０において（或いは代替として、流通システム１１０において）行うフィルタリングを許可するように構成されてもよい。最後に、システム１００の一実施形態は、回線容量必要条件又は他の必要条件により、他の方法で、モバイル装置１０２に配達されないアクションコンテンツ（action content）に対してインタラクティブクリックスルー／呼（interactive click-through / call）の配信のために構成されてもよい。
【００５０】
上の詳細な説明が、種々の実施形態に適用されるような本発明の新規の特徴を示し、説明し、かつ指摘しているが、示された装置又は処理の詳細及び形態における削除、置き換え及び変形は、本開示の範囲から逸脱することなく、当業者によってなされることができることは、理解されるだろう。認識されるように、いくつかの特徴が他のものとは別々に使用され、或いは、実行されるように、本発明は、本明細書で説明された特徴及び利益の全てを提供するとは限らない形態で具現化されてもよい。本開示の範囲は、添付された特許請求の範囲、先の記述、又はその両方によって定義される。特許請求の範囲の等価の意味及び範囲内で生じる全ての変更は、それらの範囲内に包含されることになっている。
【図１】
2010530163.tif 000003
【図２】
2010530163.tif 000004
【図３】
2010530163.tif 000005
【図４】
2010530163.tif 000006
【図５】
2010530163.tif 000007
【図６】
2010530163.tif 000008
【国際調査報告】
2010530163.tif 000009
2010530163.tif 000010
2010530163.tif 000011